(57)【要約】  足の指間及び土踏まずに適度な刺激を与えることができ、保形性があって装着が容易であり、表裏の判別が容易であり、ファスナを使用しないで足に装着できる足部刺激健康具に関するものである。  足に装着して足指間に刺激を与える足部刺激健康具の改良に関するもので、踵掛け部２と先端側の主指掛け部３とそれらの間を連結する側帯部４、５とを備えた伸縮性のある環状本体１に、足の甲及び土踏まずの部分に装着される伸縮性のある横環状部材６と、伸縮性のあるリング状の副指掛け部材９とが取り付けられている。横環状部材６は一方の側帯部４のみに縫着されており、前後方向への調節が可能である。副指掛け部材９は基部両端１０が環側帯部５に縫着されている。【特許請求の範囲】
【請求項１】
足に装着して足指間に刺激を与える足部刺激健康具であって、踵掛け部と先端側の主指掛け部とそれらの間を連結する両側の側帯部とを備えた伸縮性のある環状本体と、足の甲及び土踏まずの部分に装着される伸縮性のある横環状部材と、伸縮性のあるリング状の副指掛け部材とからなり、前記横環状部材は環状本体の一方の側帯部に縫着されており、前記副指掛け部材は基部の両端が環状本体に縫着されていることを特徴とする足部刺激健康具。
【請求項２】
横環状部材が環状本体の他方の側帯部に設けられた挿通部に前後方向にスライド自在に挿通されていることを特徴とする請求項１記載の足部刺激健康具。
【請求項３】
環状本体の主指掛け部は踵掛け部よりも幅が狭く形成され、足内側の側帯部は踵掛け部よりも幅が広く形成されていることを特徴とする請求項１記載の足部刺激健康具。
【発明の詳細な説明】
【技術分野】
【０００１】
本発明は、足に装着して足指間に刺激を与え、血行を良くし筋肉疲労を緩和できるうえ、歩行を安定させることができる足部刺激健康具に関するものである。
【背景技術】
【０００２】
人の足に装着して足指間に刺激を与えることにより健康の増進を図る足部刺激健康具としては、従来から多くのものが知られている。例えば特許文献１には、伸縮性及を有する柔軟性素材よりなる環状体の先端部をこの環状体と平行に複数に分岐させ、各分岐部を各足指間に引っ掛け、環状体の基部を踵に掛けることにより、足指間に刺激を与えるようにしたサポータが記載されている。しかし、これは土踏まずに対する刺激のための積極的な配慮がされていないものであった。【０００３】
また特許文献２には、基部を踵に掛ける環状の足内側バンドと環状足外側バンドとの先端側を足指間ループで連結し、この足指間ループを親指と人差し指との間に掛けて刺激を与えるようにしたサポータバンドが記載されている。このサポータバンドもやはり足指間の刺激を主としたものであった。【０００４】
そこで本発明者は、足指間に刺激を与えるとともに土踏まずに対しても刺激を与えることができる足部刺激健康具を発明し、特許文献３の通り日本で特許を取得済みである。この足部刺激健康具は、国内のみならず海外においても評価され多くの愛用者を得たが、面状ファスナを利用して足に巻き付ける必要があるため靴を常用している外国人には装着方法がやや難しく感じられること、足への装着に用いる面状ファスナが使用中に外れると、ファスナの突起が足を刺激して痛みを感じさせる場合があること、洗濯後などに全体が捩れて表裏が分り難いことなどの問題点を使用者から指摘されることがあった。
【特許文献１】実公平７−７９４１号公報
【特許文献２】特開平１０−５２４７２号公報
【特許文献３】特許第３４６４２１０号公報
【発明の開示】
【発明が解決しようとする課題】
【０００５】
したがって本発明の目的は、特許文献３に示した従来の足部刺激健康具の問題点を解決して、足の甲及び土踏まずにも適度な刺激を与えることができ、保形性があって外国人にも装着が容易であり、ファスナを使用しないで足に装着でき、全体が捩れにくい足部刺激健康具を提供することである。
【課題を解決するための手段】
【０００６】
上記の課題を解決するためになされた本発明の足部刺激健康具は、足に装着して足指間に刺激を与える足部刺激健康具であって、踵掛け部と先端側の主指掛け部とそれらの間を連結する両側の側帯部とを備えた伸縮性のある環状本体と、足の甲及び土踏まずの部分に装着される伸縮性のある横環状部材と、伸縮性のあるリング状の副指掛け部材とからなり、前記横環状部材は環状本体の一方の側帯部に縫着されており、前記副指掛け部材は基部の両端が環状本体に縫着されていることを特徴とするものである。【０００７】
なお、横環状部材を環状本体の他方の側帯部に設けられた挿通部に前後方向にスライド自在に挿通することができる。また、環状本体の主指掛け部は踵掛け部よりも幅が狭く形成され、足内側の側帯部は踵掛け部よりも幅が広く形成されていることが好ましい。
【発明の効果】
【０００８】
本発明の足部刺激健康具は、横環状部材に足の甲及び土踏まずが対応するよう足先側から挿入して、環状本体の主指掛け部を足の親指と人差し指との間に引っ掛けたうえ踵掛け部を踵部に係止させ、伸縮性のあるリング状の副指掛け部材を薬指と小指の間又は他の指間に引っ掛けて足に装着するものである。【０００９】
このように足に装着することにより、環状本体の伸縮性によって主指掛け部が親指と人差し指との間に適度な刺激を与え、また、副指掛け部材のもつ伸縮性によって薬指と小指の間又は他の指間に適度な刺激を与えて、血行を良くすることができる。そして、歩行時に親指と人差し指との間及び薬指と小指の間又は他の指間が刺激されることにより、足指のグリップ力が増加して安定した歩行ができるものである。さらに、横環状部材が足の甲及び土踏まずに爽快な刺激を与える。【００１０】
また、横環状部材は一方の側帯部に縫着されているので、横環状部材を装着者の好みに合う位置に装着することができる。このようにして環状本体と横環状部材との相互関係を規制したことによって横環状部材の保形性が高くなり、全体が捻れにくくなるので装着が容易となる。特に横環状部材を他方の側帯部に設けた挿通部に前後方向にスライド自在に挿通すれば、全体の保形性がより向上する。また、洗濯時や不使用時に表裏が逆になった場合にも、挿通部が表側であるのでこれを目視することにより容易に表裏が判り、装着に手間取ることがない。【００１１】
さらに、副指掛け部材は基部の両端が環状本体に縫着されており、その他の部分にも面状ファスナを使用していないため、ファスナが歩行中に外れファスナの突起が足を刺激して痛みを感じさせるという従来の問題点を回避することができる。
【図面の簡単な説明】
【００１２】
【図１】図１は、本発明の実施形態を示す斜視図である。
【図２】図２は、折り畳んだ状態を示す側面図である。
【図３】図３は折り畳んだ状態を示す反対側の側面図である。
【図４】図４は足への装着過程を示す平面図である。
【図５】図５は、足への装着状態を甲側から示す斜視図である。
【図６】図６は、足への装着状態を足外側から示す底面図である。
【符号の説明】
【００１３】
１  環状本体
２  踵掛け部
３  主指掛け部
４  側帯部
５  側帯部
６  横環状部材
７  挿通部
８  肉厚部
９  副指掛け部材
１０  基部両端
【発明を実施するための最良の形態】
【００１４】
次に、本発明の好ましい実施の形態を図面に基づき説明する。なお、図面は何れも右足用のものを示しているが、左足用のものはこれと左右対称に形成されることは言うまでもない。【００１５】
図１において、１は伸縮性のある材料により構成された環状本体である。環状本体１は、その基部側を踵掛け部２に形成するとともに、先端側を主指掛け部３に形成し、それらの間を２つの側帯部４，５により連結した環状のものである。この実施形態では踵掛け部２を除く環状本体１の材質として伸縮性布地が用いられている。その足と接する側の面は通気性、吸汗性のある縦横２方向に伸びるトリコット素材とし、外側の面は通気性、弾力性があり手触りがソフトなパイル素材としてある。更に縁の部分は図２、図３に示すように折り返してリンキング仕上げされ、繰り返し使用しても傷まないように縫製されている。踵掛け部２にはゴム糸をレース編みして弾力性と通気性を持たせたゴムバンド状の素材が用いられている。なお、踵掛け部２の内面には滑り止め用のシリコン樹脂が塗布されている。【００１６】
図１から図３に示すように、環状本体１の主指掛け部３は踵掛け部２よりも幅が狭く形成されている。これにより、主指掛け部３を親指と人差し指との間に引っ掛け易くなるうえ親指と人差し指との間に適度な刺激を与え易くなる。また、主指掛け部３だけを細幅に形成して他の部分は比較的広幅とすることにより、足に装着した際に皮膚に食い込むことがなくなり、良好な装着感が得られるようになっている。【００１７】
６は足の甲及び土踏まずの部分に装着される伸縮性のある横環状部材である。この横環状部材６も前記した踵掛け部２と同じ伸縮性の大きいゴムバンド状のものである。横環状部材６は、環状本体１の足内側の側帯部４に環状本体１に対して直角に縫着されている。また、この実施形態では足外側の側帯部５にはバンドの両端を縫着した挿通部７が設けられており、横環状部材６は挿通部７に前後方向に所定範囲だけスライド自在に挿通されている。ただしこの挿通部７は必須のものではなく、省略することもできる。このように横環状部材６を一方の側帯部４に縫着したことによって、横環状部材６を装着者の好みに合う位置に調節することができる。また、上記の構成によって環状甲当て部材５の保形性も良くなり、外国人にも装着作業が容易となる。特に挿通部７を設けておけば、洗濯時や不使用時に表裏が逆になった場合にも挿通部７が表側であることを利用して容易に表裏が判る。【００１８】
なお図２に示すように、環状本体１の足内側の側帯部４の前部は踵掛け部２よりも幅が広く形成されている。これは足の側面から土踏まずに至る部分をサポートし、足の横方向への踏ん張り力を高めるためである。また図３、図６に示すように足外側の側帯部５の先端部分は横環状部材６と重なり合い、土踏まずの外側の接地部分に肉厚部８を構成して、クッション効果を得ている。【００１９】
９は伸縮性のあるリング状の副指掛け部材である。この副指掛け部材９は環状本体１の一方の側帯部５に基部両端１０が縫着されている。この副指掛け部材７は図５、図６に示すように甲側から薬指と小指の間に引っ掛けたり、又は他の指間に引っ掛けたりすることができ、伸縮性バンドの張力により薬指と小指の間や他の指間に適度な刺激を与えることができるものである。基部両端１０が縫着されているので、従来のようにファスナが歩行中に外れ、ファスナの突起が足を刺激して痛みを感じさせるという問題点を回避することができる。【００２０】
このように構成された本発明の足部刺激健康具は、図５、図６のように足に装着すれば、環状本体１の伸縮性によって主指掛け部３が親指と人差し指との間に適度な刺激を与え、副指掛け部材９が他の指間に適度な刺激を与えて、血行を良くすることができる。また横環状部材６が足の甲及び土踏まずを刺激する。【００２１】
また横環状部材６は一方の側帯部４に縫着されているので、横環状部材６を装着者の好みに合う位置に調節することができるうえ、全体の保形性も良くなり、装着作業が容易となる。さらに、洗濯時や不使用時にも全体が捩れにくい。特に実施形態のように挿通部７を設けておけば、表裏が逆になった場合にも挿通部７が表側であることを利用して容易に表裏が判る。更に本発明の足部刺激健康具は、ファスナを使用していないため、従来のようにファスナが歩行中に外れ、ファスナの突起が足を刺激して痛みを感じさせるという問題を生じない。なお、副指掛け部材９は基部の両端が環状本体１に縫着されているのでそれ自体では強さの調整はできないが、環状本体１の全体の位置をわずかにずらすことにより調節が可能となる。横環状部材６は一方の側帯部４に縫着されているのみであるから、横環状部材６の位置を変えることなく環状本体１の全体の位置をわずかにずらすことが可能である。【００２２】
以上に本発明の最善の実施形態を説明したが、各部分の材質や形状についてはこの実施形態に限定されず、特許請求の範囲を逸脱しない範囲で種々の変形が可能であることはいうまでもない。
【図１】
2006098042.tif 000002
【図２】
2006098042.tif 000003
【図３】
2006098042.tif 000004
【図４】
2006098042.tif 000005
【図５】
2006098042.tif 000006
【図６】
2006098042.tif 000007
【国際調査報告】
2006098042.tif 000008
2006098042.tif 000009
2006098042.tif 000010
2006098042.tif 000011